(57)【特許請求の範囲】
【請求項１】
試験装置本体に、樹脂製試験片に応力が生じた状態で、前記樹脂製試験片を設置固定する試験片設置部を設け、
前記試験片設置部に設置固定された前記樹脂製試験片に薬液を接触させた状態で、前記樹脂製試験片の耐薬品性を試験する耐薬品性試験装置であって、
表裏貫通孔を多数有し、前記表裏貫通孔を介して透視可能なシート状に形成された薬液保持部材を備え、前記薬液保持部材が、前記樹脂製試験片に積層された状態、かつ、前記表裏貫通孔に薬液を保持した状態で、前記樹脂製試験片とともに前記試験片設置部に固定される耐薬品性試験装置。
【請求項２】
前記試験片設置部が、前記試験装置本体の縦断側面視で円弧形状または楕円弧形状に形成された試験片設置面にて構成され、前記樹脂製試験片が前記試験片設置面に沿って接触する状態で設置固定される請求項１に記載の耐薬品性試験装置。
【請求項３】
前記薬液保持部材には、前記多数の表裏貫通孔として多数のスリット状貫通孔が並設されている請求項１又は２に記載の耐薬品性試験装置。
【請求項４】
前記薬液保持部材は、メッシュ構造を有する請求項１又は２に記載の耐薬品性試験装置。
【請求項５】
前記薬液保持部材は、透明材料で構成されている請求項１〜４の何れか１項に記載の耐薬品性試験装置。
【請求項６】
前記樹脂製試験片と前記薬液保持部材とを、前記試験装置本体との間で挟持固定する試験片固定部材を備え、前記試験片固定部材は、前記樹脂製試験片と前記薬液保持部材とを前記試験装置本体に挟持固定した状態で外部から前記樹脂製試験片を透視可能にする開口部を有する請求項１〜５の何れか１項に記載の耐薬品性試験装置。
【請求項７】
樹脂製試験片を、当該樹脂製試験片に応力が生じた状態で設置固定するとともに、その樹脂製試験片に薬液が接触する状態で前記樹脂製試験片の耐薬品性を試験する耐薬品性試験方法であって、
表裏貫通孔を多数有し、前記表裏貫通孔を介して透視可能なシート状に形成された薬液保持部材を、前記樹脂製試験片に積層し、前記表裏貫通孔に薬液を保持させて、前記樹脂製試験片の耐薬品性を試験する耐薬品性試験方法。
【請求項８】
表裏貫通孔を多数有し、前記表裏貫通孔を介して透視可能なシート状に形成され、
樹脂製試験片の耐薬品性を試験する耐薬品性試験装置の試験片設置部において、前記樹脂製試験片に積層させた状態、かつ、前記表裏貫通孔に薬液を保持した状態で、前記樹脂製試験片とともに前記試験片設置部に固定される薬液保持部材。
【発明の詳細な説明】
【技術分野】
【０００１】
本発明は、試験装置本体に、樹脂製試験片に応力が生じた状態で、樹脂製試験片を設置固定する試験片設置部を設け、試験片設置部に設置固定された樹脂製試験片に薬液を接触させた状態で、樹脂製試験片の耐薬品性を試験する耐薬品性試験装置、薬液保持部材、及び、耐薬品性試験方法に関する。
【背景技術】
【０００２】
かかる耐薬品性試験装置は、応力が生じた樹脂製試験片に、薬液を接触させた状態として、例えば、樹脂製試験片に薬液を接触させた時から樹脂製試験片に亀裂等が発生するまでの時間を計測して、樹脂製試験片の耐薬品性を評価する試験をするのに用いられるものである。
【０００３】
かかる耐薬品性試験装置の従来例として、耐薬品性試験装置に設置固定した樹脂製試験片に薬品を塗布することにより、樹脂製試験片を薬液に接触させた状態として樹脂製試験片の耐薬品性の試験を行うものがある（例えば、特許文献１参照）。
また、別の耐薬品性試験装置の従来例として、耐薬品性試験装置に設置固定した樹脂製試験片に薬品を塗布し、塗布した薬品の蒸発を防ぐためのフィルムを、樹脂製試験片を覆う状態で設けて、樹脂製試験片の耐薬品性の試験を行うものがある（例えば、特許文献２参照）。
【０００４】
また、特許文献１及び特許文献２には記載されていないが、薬液を浸透させたティッシュペーパーや脱脂綿を用いて、耐薬品性試験装置に設置固定した樹脂製試験片を覆うことにより樹脂製試験片を薬液に接触させた状態とする場合や、樹脂製試験片を設置固定した耐薬品性試験装置の全体を薬液に浸すことにより樹脂製試験片を薬液に接触させた状態とする場合がある。
【先行技術文献】
【特許文献】
【０００５】
【特許文献１】実開昭６３−１８７０３９号公報
【特許文献２】特開平９−１６６５３８号公報
【発明の概要】
【発明が解決しようとする課題】
【０００６】
しかしながら、特許文献１のように、樹脂製試験片に薬液を塗布する場合では、塗布した薬液が蒸発したり流下したりする場合があるので、薬液を樹脂製試験片に接触させた状態に維持することが困難である。また、特許文献２のように、樹脂製試験片に薬品を塗布して、塗布した薬液の蒸発を防ぐフィルムにより樹脂製試験片を覆う場合には、薬液の蒸発を抑制することができるが、薬液が樹脂製試験片から流下するのを抑制するのは困難であるとともに、樹脂製試験片を覆うフィルムにより樹脂製試験片を観察することが困難になる。
【０００７】
同様に、薬液を浸透させたティッシュペーパーや脱脂綿で試験片を覆う場合においても、ティッシュペーパー又は脱脂綿によって樹脂製試験片を観察することが困難になり、例えば、樹脂製試験片に亀裂が発生する状況を観察すること、及び、亀裂の発生時期を正確に計測することができないという問題がある。その他、樹脂製試験片が設置固定された耐薬品性試験装置の全体を薬液に浸す場合には、試験に使用する薬液が大量に必要となることに加え、試験後に試験装置本体に付着した薬液を除去することに手間がかかるという問題がある。
【０００８】
本発明は、かかる点に着目してなされたものであり、その目的は、試験片を常に観察することができ、しかも、試験に使用する薬液の量を少なくすることができ、さらには、試験における作業を簡略化することができる耐薬品性試験装置、薬液保持部材、及び、耐薬品性試験方法を提供することにある。
【課題を解決するための手段】
【０００９】
本発明に係る耐薬品性試験装置は、
試験装置本体に、樹脂製試験片に応力が生じた状態で、前記樹脂製試験片を設置固定する試験片設置部を設け、
前記試験片設置部に設置固定された前記樹脂製試験片に薬液を接触させた状態で、前記樹脂製試験片の耐薬品性を試験する耐薬品性試験装置であって、その特徴構成は、
表裏貫通孔を多数有し、前記表裏貫通孔を介して透視可能なシート状に形成された薬液保持部材を備え、前記薬液保持部材が、前記樹脂製試験片に積層された状態、かつ、前記表裏貫通孔に薬液を保持した状態で、前記樹脂製試験片とともに前記試験片設置部に固定される点にある。
【００１０】
本発明に係る耐薬品性試験方法は、
樹脂製試験片を、当該樹脂製試験片に応力が生じた状態で設置固定するとともに、その樹脂製試験片に薬液が接触する状態で前記樹脂製試験片の耐薬品性を試験する耐薬品性試験方法であって、その特徴構成は、
表裏貫通孔を多数有し、前記表裏貫通孔を介して透視可能なシート状に形成された薬液保持部材を、前記樹脂製試験片に積層し、前記表裏貫通孔に薬液を保持させて、前記樹脂製試験片の耐薬品性を試験する点にある。
【００１１】
本発明に係る薬液保持部材の特徴構成は、
表裏貫通孔を多数有し、前記表裏貫通孔を介して透視可能なシート状に形成され、
樹脂製試験片の耐薬品性を試験する耐薬品性試験装置の試験片設置部において、前記樹脂製試験片に積層させた状態、かつ、前記表裏貫通孔に薬液を保持した状態で、前記樹脂製試験片とともに前記試験片設置部に固定される点にある。
【００１２】
上記特徴構成によれば、薬液保持部材は、表裏貫通孔を多数有するシート状なので、表面張力により、表裏貫通孔内に薬液を保持することができる。そのため、薬液保持部材が樹脂製試験片に積層した状態で試験片設置面に固定すれば、樹脂製試験片が薬液に接触した状態に維持することができる。
【００１３】
その状態を維持すると、薬液が、樹脂製試験片の表面組織と反応したり、樹脂製試験片に浸透して膨潤させたりするので、樹脂製試験片は、薬液による劣化を受ける。この時、樹脂製試験片は、ひずみが与えられることにより応力が生じた状態で固定されているから、応力の状態に応じた劣化が進行することになる。そして、樹脂製試験片の劣化が応力に耐えられなくなる限界に達する（耐薬品性が限界）と、その樹脂製樹脂片の耐薬品性が限界に達した部位に亀裂が発生するなどの状態変化が起きる。
【００１４】
この状態で、薬液保持部材は、表裏貫通孔を介して透視可能であるから、耐薬品性試験を行う試験者等は、薬液に接触している樹脂製試験片の状態を、表裏貫通孔を介して常に観察することができる。
よって、試験者等は、樹脂製試験片に亀裂が発生する状況を観察することができ、亀裂の発生時期を正確に検出することなどにより、樹脂製試験片の耐薬品性を知ることができる。
【００１５】
また、樹脂製試験片に接触する薬液が、樹脂製試験片に積層される薬液保持部材の表裏貫通孔に保持されるので、薬液が樹脂製試験片から流れ落ちることや薬液が蒸発することを抑制して、薬液が樹脂製試験片に接触する状態を維持することができる。なお、薬液の表面張力等によって、表裏貫通孔内において薬液が保持される。
【００１６】
これにより、薬液が、樹脂製試験片から流れ落ちること、及び、蒸発することによって、樹脂製試験片上からなくなりにくく、表裏貫通孔に保持された薬液により樹脂製試験片の耐薬品性の試験を行うことができるので、試験に使用する薬液の量を少なくすることができる。
【００１７】
そして、薬液が薬液保持部材の表裏貫通孔に保持され、流れ落ちにくくなるので、薬液が試験装置本体等の周囲にしみだし、散乱付着することを抑制することができる。よって、試験後において、試験装置本体等を掃除する必要が少なくなり、耐薬品性の試験における作業を簡略化することができる。
【００１８】
本発明に係る耐薬品性試験装置の更なる特徴構成は、
前記試験片設置部が、試験装置本体の縦断側面視で円弧形状または楕円弧形状に形成された試験片設置面にて構成され、前記樹脂製試験片が前記試験片設置面に沿って接触する状態で設置固定される点にある。
【００１９】
上記特徴構成によれば、試験片設置面に樹脂製試験片を積層し、その樹脂製試験片に薬液保持部材を積層する状態で試験することができる。そして、樹脂製試験片を、円弧形状または楕円弧形状に形成された試験片設置面に沿って接触する状態で設置して、円弧形状または楕円弧形状に変形させて、樹脂製試験片に応力が生じた状態で試験することができる。
【００２０】
例えば、試験片設置面を、試験装置本体の縦断側面視で円弧形状とする場合は、試験片設置面の曲率が一定なので、試験片設置面に設置する樹脂製試験片に発生する応力を一定の状態として試験することができ、所定応力環境での耐薬品性が十分であるかどうかを知ることができる。
一方、試験片設置面が試験装置本体の縦断側面視で楕円弧形状とする場合は、試験片設置面の曲率が連続的に変化するので、試験片設置面に設置する樹脂製試験片において発生する応力が曲率に応じて連続的に変化する状態として試験することにより、耐薬品性を、応力の大きさと薬品接触時間との関係から評価することができる。
【００２１】
本発明に係る耐薬品性試験装置の更なる特徴構成は、
前記薬液保持部材には、前記多数の表裏貫通孔として多数のスリット状貫通孔が並設されている点にある。
【００２２】
上記特徴構成によれば、表裏貫通孔がスリット状に形成されるので、薬液の表面張力により薬液を表裏貫通孔により確実に保持することができる。また、スリット状であれば、平面視で表裏貫通孔の一部に供給された薬液は、毛細管現象により表裏貫通孔のスリット全長にわたって容易にいきわたり、樹脂製試験片の表面の広範囲にわたって簡便に薬液を供給保持しやすい。また、多数のスリット状貫通孔が並設されているので、多数のスリット状貫通孔を介して広い範囲で樹脂製試験片を観察することができる。
【００２３】
本発明に係る耐薬品性試験装置の更なる特徴構成は、
前記薬液保持部材は、メッシュ構造を有する点にある。
【００２４】
上記特徴構成によれば、薬液保持部材をメッシュ構造とすることで、メッシュの目開きを多数の表裏貫通孔として、目開きにより薬液を保持することができる。
【００２５】
本発明に係る耐薬品性試験装置の更なる特徴構成は、
前記薬液保持部材は、透明材料で構成されている点にある。
【００２６】
上記特徴構成によれば、透明材料で構成された薬液保持部材を介しても、樹脂製試験片を観察することができる。よって、薬液保持部材に形成された表裏貫通孔を介して樹脂製試験片を観察できることに加えて、薬液保持部材を介して樹脂製試験片を観察することができるので、樹脂製試験片に積層される薬液保持部材によって樹脂製試験片の観察が阻害されることを防止することができる。
【００２７】
本発明に係る耐薬品性試験装置の更なる特徴構成は、
前記樹脂製試験片と前記薬液保持部材とを、前記試験装置本体との間で挟持固定する試験片固定部材を備え、前記試験片固定部材は、前記樹脂製試験片と前記薬液保持部材とを前記試験装置本体に挟持固定した状態で外部から前記樹脂製試験片を透視可能にする開口部を有する点にある。
【００２８】
上記特徴構成によれば、樹脂製試験片と薬液保持部材とを試験装置本体との間で挟持固定する試験片固定部材を備えるので、薬液保持部材を樹脂製試験片に積層した状態で、樹脂製試験片を試験装置本体に対して確実に所望の応力付加状態で固定することができる。また、試験片固定部材には、樹脂製試験片と薬液保持部材とを試験装置本体に挟持固定した状態で外部から樹脂製試験片を透視可能にする開口部を有するので、試験片固定部材が介在してもその開口部を通して樹脂製試験片を観察することができる。
【図面の簡単な説明】
【００２９】
【図１】耐薬品性試験装置の挟持固定状態を示す斜視図
【図２】耐薬品性試験装置の縦断側面図
【図３】薬液保持部材の上面図
【図４】耐薬品性試験装置の解放状態を示す斜視図
【図５】耐薬品性試験方法を説明する図
【発明を実施するための形態】
【００３０】
本発明に係る耐薬品性試験装置の実施形態を図面に基づいて説明する。
図１に示すように、耐薬品性試験装置１００は、試験装置本体１に、樹脂製試験片Ｐに応力が生じた状態で、樹脂製試験片Ｐを設置固定する試験片設置部が設けられている。本実施形態では、試験片設置部が試験片設置面２にて構成されており、試験片設置面２に設置固定された樹脂製試験片Ｐに薬液を接触させた状態で、樹脂製試験片Ｐの耐薬品性を試験するものである。
【００３１】
（試験装置本体）
図１及び図２に示すように、試験装置本体１は、前後方向に長い長手形状で構成されている。試験装置本体１の前方側には、樹脂製試験片Ｐが設置される試験片設置面２が設けられた本体前方部１１が形成され、試験装置本体１の後方側には、本体前方部１１と接続された本体後方部１２が形成されている。なお、試験装置本体１はステンレス製である。
【００３２】
本体前方部１１の上面には、試験装置本体１の縦断側面視で、楕円を長軸と短軸で４等分した楕円弧形状となる試験片設置面２が形成されている。一方、本体前方部１１の下面は平面で構成され、試験装置本体１を安定した状態で載置できるように構成されている。また、本体前方部１１には、試験装置本体１を軽量化するための開口１１ｂが形成されている。
【００３３】
試験片設置面２は、本体前方部１１の前方側に、４等分した楕円弧形状の長軸と交わる楕円弧部分が位置するよう構成され、本体前方部１１の後方側に４等分した楕円弧形状の短軸と交わる楕円弧部分が位置するよう構成されている。つまり、試験片設置面２は、試験装置本体１の外側に向けて凸となる状態で、本体前方部１１の前方側から後方側に向かって試験片設置面２の曲率が小さくなるような楕円弧面とされる。
【００３４】
また、本体前方部１１の前端部１１ａには、樹脂製試験片Ｐと薬液保持部材３とを、試験装置本体１との間で挟持固定する試験片固定部材４の一端側が固定されている。
【００３５】
一方、本体後方部１２は、本体後方部１２の上面１２ａの高さ位置が、本体前方部１１の試験片設置面２の高さ位置と同じ高さ位置とされ、上面１２ａと試験片設置面２とが連続面を形成するように、本体前方部１１と本体後方部１２とが接続されている。なお、本体後方部１２の上下方向の長さが本体前方部１ａの上下方向の長さよりも短く形成されている。
【００３６】
また、本体後方部１２の上面１２ａには、本体前方部１１の前端部１１ａに一端側が固定された試験片固定部材４の他端側に設けられた被係止部材４ｂと係合する固定具５が設けられている。
【００３７】
（試験片固定部材）
試験片固定部材４は、板状の長手部材で形成されている。そして、長手方向の一端側から他端側までの長さが、試験片設置面２の前後方向における長さと略同じ長さとなるように構成され、長手方向に直交する短手方向の長さが、試験片設置面２の前後方向に直交する左右方向の長さと略同じ長さとなるように構成されている。
【００３８】
この試験片固定部材４は、可撓性を有する金属や樹脂等を材質として板状に構成されている。本実施形態では、試験片固定部材４の材質は、試験装置本体１の材質と同じ材質（ステンレス）とされる。一端側が本体前方部１１の前端部１１ａに固定された状態で、他端側が試験装置本体１の前後方向に揺動可能に構成されている。
【００３９】
そして、試験片固定部材４の可撓性により、試験片固定部材４の状態を、一端側が試験装置本体１の前端部１１ａに固定された試験片固定部材４の他端側を、試験装置本体１に近接させて、試験装置本体１の試験片設置面２との間で、後述する樹脂製試験片Ｐと薬液保持部材３とを挟持固定する挟持固定状態（図２において実線で示す状態）と、他端側を試験装置本体１の試験片設置面２から離間させて、樹脂製試験片Ｐと薬液保持部材３とを試験片設置面２に対して着脱自在とする開放状態（図２において二点鎖線で示す状態）とに状態切替自在に構成されている。この試験片固定部材４は、挟持固定状態において、試験片設置面２の左右方向に並設した２つの樹脂製試験片Ｐと、２つの樹脂製試験片Ｐの上方に積層される薬液保持部材３とを挟持固定することができる。また、この挟持固定状態においては、樹脂製試験片Ｐが試験片設置面２に沿って楕円弧形状に湾曲する。これにより、樹脂製試験片Ｐにひずみが与られて応力が生じる状態となる。
【００４０】
また、試験片固定部材４は、樹脂製試験片Ｐと薬液保持部材３とを試験装置本体１に挟持固定した状態で外部から樹脂製試験片Ｐを透視可能にする開口部４ａを有する。この開口部４ａは、試験片固定部材４の長手方向において一端側から他端側にわたる長い開口形状とされ、試験片固定部材４の短手方向に２つ並設されている。
そして、試験片固定部材４の他端側には、固定具５の揺動腕７ｂに設けられた係止部材７ｄと係合する被係止部材４ｂが設けられている。
【００４１】
（固定具）
固定具５は、本体後方部１２の上面１２ａに固定された固定部６と、固定部６に揺動可能に設けられた揺動部７とにより構成されている。
固定部６の前方側において、固定部６の左右方向の外側に突出する揺動爪６ａが、固定部６の左右側面に一対設けられている。また、揺動部７の前方側には、揺動爪６ａが挿入可能な揺動穴７ａが、揺動部７の左右側面に設けられている。
そして、揺動部７に形成された揺動穴７ａに、固定部６に形成された揺動爪６ａが挿入されて、揺動部７が揺動爪６ａを中心に揺動可能に構成されている。
【００４２】
また、揺動部７は、試験片固定部材４の被係止部材４ｂと係合する揺動腕７ｂを備えている。揺動腕７ｂは、揺動部７の後方側の接続孔７ｃに揺動自在に接続されている。
【００４３】
この揺動腕７ｂは、試験片固定部材４の被係止部材４ｂに係止する係止部材７ｄが設けられた第１腕部材７ｅと、揺動部７に接続されている第２腕部材７ｆと、腕部材用バネ７ｇにより構成されている。そして、第１腕部材７ｅと第２腕部材７ｆとは腕部材用バネ７ｇにより、揺動腕７ｂの長さが収縮する側に付勢された状態で伸縮自在に接続されている。
【００４４】
そして、揺動腕７ｂに設けられた係止部材７ｄを、試験片固定部材４の他端側に設けられた被係止部材４ｂに係止して、揺動部７を、固定部６に形成された揺動爪６ａを中心にして後方側に回転させて、固定部６の後方部と揺動部７の後方部が重なる固定状態（図２において実線で示す状態）とすることにより、試験片固定部材４の状態が挟持固定状態となる。また、固定状態では、揺動腕７ｂの長さが、腕部材用バネ７ｇによって収縮する側に付勢された状態となるので、試験片固定部材４が後方側に引っ張られて、樹脂製試験片Ｐの下面の全面が、試験片設置面２に押し付けられた状態となる。つまり、樹脂製試験片Ｐが、試験片設置面２に沿って接触する状態で、試験片設置面２に固定される。
【００４５】
一方、固定具５の固定状態を解除するには、揺動部７の後端部を上方側に移動させることで、係止部材７ｄを被係止部材４ｂから離間する非固定状態（図２において二点鎖線で示す状態）とすることができ、試験片固定部材４の状態を開放状態とすることができる。このように、本実施形態では、固定具５の状態を、固定状態と非固定状態との間で切替えることにより、試験片固定部材４の状態を、挟持固定状態と開放状態との間で切替えることができる。
【００４６】
（樹脂製試験片）
樹脂製試験片Ｐは、試験片設置面２と同等又はやや試験片設置面２よりも小さな形状の板状に形成されている。本実施形態では、樹脂製試験片Ｐの長手方向の長さが、試験片設置面２の前後方向の長さと同等の長さに形成され、短手方向の長さが、試験片設置面２の左右方向において、樹脂製試験片Ｐを２つ並設することができる長さに形成されている。また、樹脂製試験片Ｐの厚さは、試験片設置面２と試験片固定部材４との間に挟持できるような厚さに形成されている。
【００４７】
（薬液保持部材）
図３に示すように、薬液保持部材３は、一端側から他端側に向かう長手方向の長さが、試験片設置面２の前後方向の長さよりも若干長く、長手方向に直交する短手方向の長さが、試験片設置面２の左右方向の長さと略同じ長さとなる板状に構成されている。この試験片固定部材４は、可撓性を有する金属や樹脂等を材質として構成されている。本実施形態では、試験装置本体１の材質と同じ材質（ステンレス）とされる。
【００４８】
そして、図１〜図３に示すように、薬液保持部材３は、薬液保持部材３の一方側面から他方側面に貫通する多数の表裏貫通孔として多数のスリット状貫通孔３ａを有し、スリット状貫通孔３ａに薬液を保持した状態でスリット状貫通孔３ａを介して透視可能なシート状に形成されている。なお、薬液の表面張力等によって、薬液がスリット状貫通孔３ａに保持される。
【００４９】
具体的には、スリット状貫通孔３ａは、薬液保持部材３の短手方向に長いスリット状の貫通孔とされ、薬液保持部材３の長手方向に多数並設されている。例えば、薬液保持部材３の長手方向の外径寸法が１４０ｍｍ、短手方向の外径寸法が３０ｍｍとされている場合において、スリット状貫通孔３ａの薬液保持部材３の長手方向の寸法は２ｍｍとされ、薬液保持部材３の短手方向の寸法は２６ｍｍとされる。また、スリット状貫通孔３ａ同士の間の寸法が２ｍｍとされる。この薬液保持部材３は、長手方向及び短手方向において対称となるように形成されている。また、薬液保持部材３の厚さは、試験片設置面２と試験片固定部材４との間に挟持できる厚さに形成され、例えば、０．３ｍｍ程度に形成されている。
【００５０】
そして、図１及び図２に示すように、この薬液保持部材３は、樹脂製試験片Ｐに積層された状態で、この樹脂製試験片Ｐとともに、試験装置本体１の試験片設置面２に固定される。これにより、薬液保持部材３の下面が試験片設置面２の上面に密着する状態で試験片設置面２に設置固定される。この状態において、スリット状貫通孔３ａに薬液を保持させることにより、スリット状貫通孔３ａに保持された薬液が樹脂製試験片Ｐに接触する状態となる。つまり、薬液保持部材３が、樹脂製試験片Ｐに積層した状態、かつ、スリット状貫通孔３ａに薬液を保持した状態で、試験片設置面２に固定されている状態となる。
【００５１】
（耐薬品性試験方法）
次に、本実施形態に係る樹脂製試験片Ｐの耐薬品性試験方法について、図４及び図５に基づいて説明する。
まず、図４に示すように、固定具５の状態を非固定状態として、試験片固定部材４の他端側を試験装置本体１から離間させて、樹脂製試験片Ｐと薬液保持部材３とを試験片設置面２に対して着脱自在な開放状態とする。次に、図５（ａ）に示すように、樹脂製試験片Ｐを試験片設置面２に設置する。本実施形態では、２つの樹脂製試験片Ｐを試験片設置面２に設置する。そして、図５（ｂ）に示すように、薬液保持部材３を２つの樹脂製試験片Ｐの上に設置する。
【００５２】
そして、図５（ｃ）に示すように、固定具５を固定状態とすることにより、試験片固定部材４の他端側を、試験装置本体１に近接させて、試験装置本体１との間で樹脂製試験片Ｐと薬液保持部材３とを挟持固定する挟持固定状態とする。これにより、樹脂製試験片Ｐの下面の全面が、試験片設置面２に押し付けられて、樹脂製試験片Ｐに応力が生じた状態で試験片設置面２に設置固定された状態となる。また、薬液保持部材３が樹脂製試験片Ｐに積層固定された状態となる。
【００５３】
この挟持固定状態において、薬液を試験片固定部材４に向かってスプレーすることで、薬液が、試験片固定部材４の開口部４ａを通じて、薬液保持部材３のスリット状貫通孔３ａに流入し、スリット状貫通孔３ａに保持された状態となる。これにより、スリット状貫通孔３ａに保持された薬液が樹脂製試験片Ｐに接触する状態となるので、樹脂製試験片Ｐの耐薬品性を試験することができる。
【００５４】
つまり、スリット状貫通孔３ａを多数有し、スリット状貫通孔３ａに薬液を保持した状態でスリット状貫通孔３ａを介して透視可能なシート状に形成された薬液保持部材３を、樹脂製試験片Ｐに積層し、スリット状貫通孔３ａに薬液を保持させて、樹脂製試験片Ｐの耐薬品性を試験する。このスリット状貫通孔３ａにおいて、貫通孔がスリット状に形成されるので、薬液の表面張力により薬液をスリット状貫通孔３ａにより確実に保持される。また、平面視でスリット状貫通孔３ａの一部に供給された薬液は、毛細管現象によりスリット状貫通孔３ａのスリット全長にわたって容易にいきわたり、樹脂製試験片Ｐの表面の広範囲にわたって簡便に薬液を供給保持しやすい。また、多数のスリット状貫通孔３ａが並設されているので、多数のスリット状貫通孔３ａを介して広い範囲で樹脂製試験片Ｐを観察することができる。
【００５５】
なお、耐薬品性の試験においては、試験片固定部材４の開口部４ａ及び薬液が保持されたスリット状貫通孔３ａを介して樹脂製試験片Ｐに発生するクラック等を観察する。例えば、スリット状貫通孔３ａに薬液を保持させてから亀裂等が発生するまでの時間を計測することで樹脂製試験片Ｐの耐薬品性の評価を行うことができる。また、本実施形態においては、試験片設置面２に設置した２つの樹脂製試験片Ｐの耐薬品性を比較することができる。
【００５６】
〔別実施形態〕
以下、別実施形態を列記する。
（１）上記実施形態では、試験装置本体１の縦断側面視で、楕円を長軸と短軸で４等分した楕円弧形状となる試験片設置面２が形成されたが、これに限らず、試験装置本体１の縦断側面視で、試験片設置面２を円弧状としてもよく、その他、円弧状及び楕円弧形状以外の曲線状となるように構成してもよい。
【００５７】
（２）上記実施形態では、試験片固定部材４が試験装置本体１に設けられたが、これに限らず、試験片固定部材４を省略してもよい。この場合、薬液保持部材３が固定具５により樹脂製試験片Ｐに積層された状態で試験片設置面２に固定可能に構成されていてもよい。その他、試験装置本体１とは別体に設けられた薬液保持部材３の固定用の装置により樹脂製試験片Ｐに積層した状態で試験片設置面２に固定可能に構成されていてもよい。
【００５８】
（３）上記実施形態では、固定具５は試験装置本体１に設けられたが、これに限らず、固定具５を省略してもよい。この場合、試験片固定部材４が、試験装置本体１とは別体に設けられた試験片固定部材４の固定用の装置によって試験装置本体１に固定可能に構成されていてもよい。
【００５９】
（４）上記実施形態では、薬液保持部材３の材質をステンレスとしたが、これに限らず、薬液保持部材３の材質を、ステンレス以外の金属製としてもよく、樹脂製としてもよい。また、樹脂製の透明材料で構成してもよい。この場合、透明材料で構成された薬液保持部材３を介して、樹脂製試験片Ｐを観察することができる。よって、薬液保持部材３に形成されたスリット状貫通孔３ａを介して樹脂製試験片Ｐを観察できることに加えて、薬液保持部材３を介して樹脂製試験片Ｐを観察することができる。
【００６０】
（５）上記実施形態では、薬液保持部材３を、薬液が通流する多数のスリット状貫通孔３ａを有する板状の長手部材で形成したが、これに限らず、薬液保持部材３を、薬液を保持することができるメッシュ構造を有するように構成してもよい。この場合、薬液の性状（粘性、腐食性等）によりメッシュの材質、メッシュの開口寸法等を適宜設定することができる。
【００６１】
（６）上記実施形態では、薬液保持部材３の表裏貫通孔をスリット状貫通孔３ａとし、薬液保持部材３の長手方向に多数並設されたが、表裏貫通孔の形態は、これに限るものではない。表裏貫通孔を、多数の円形状貫通孔としてもよい。また、表裏貫通孔を、試験装置本体１の上面視で後方に開いたＶ字状貫通孔に形成して、薬液保持部材３の長手方向に多数並設してもよい。
【００６２】
（７）上記実施形態では、薬液保持部材３の表裏貫通孔としてのスリット状貫通孔３ａは、薬液保持部材３の短手方向に長いスリット状の貫通孔とされ、薬液保持部材３の長手方向に多数並設されたが、これに限るものではない。例えば、スリット状貫通孔３ａを、薬液保持部材３の短手方向及び長手方向に対して斜め方向に延びるスリット状の貫通孔に形成して、薬液保持部材３の長手方向に多数並設してもよい。
また、上記実施形態では、薬液保持部材３の長手方向の外径寸法が１４０ｍｍ、短手方向の外径寸法が３０ｍｍとされている場合において、スリット状貫通孔３ａの薬液保持部材３の長手方向の寸法は２ｍｍとされ、薬液保持部材３の短手方向の寸法は２６ｍｍとされ、また、スリット状貫通孔３ａ同士の間の寸法が２ｍｍとされたが、これらの寸法は適宜変更することができる。
その他、薬液の性状（粘性、腐食性等）により薬液保持部材３の材質、スリット状貫通孔３ａの長手方向の寸法等を適宜設定することができる。
【００６３】
（８）上記実施形態では、薬液保持部材３は、長手方向及び短手方向において対称となるように形成されたが、これに限らず、長手方向及び短手方向において非対称となるように形成されていてもよい。
【００６４】
（９）上記実施形態では、試験片固定部材４の材質をステンレスとしたが、これに限らず、ステンレス以外の金属製としてもよく、樹脂製としてもよい。また、樹脂製の透明材料で構成してもよい。
【００６５】
（１０）上記実施形態では、２つの樹脂製試験片Ｐを試験片設置面２に設置して耐薬品性の試験を行ったが、これに限らず、単一の樹脂製試験片Ｐを試験片設置面２に設置して試験を行ってもよく、３つ以上の樹脂製試験片Ｐを試験片設置面２に設置して試験を行ってもよい。
【００６６】
（１１）上記実施形態では、試験片固定部材４における挟持固定状態において、薬液をスプレーすることにより、薬液保持部材３をスリット状貫通孔３ａに保持させたが、これに限らず、樹脂製試験片Ｐに積層する前に、薬液を薬液保持部材３のスリット状貫通孔３ａに保持させてもよい。その他、薬液は、薬液を薬液保持部材３に塗布することにより、薬液保持部材３のスリット状貫通孔３ａに保持させてもよい。
【００６７】
尚、上記実施形態（別実施形態を含む、以下同じ）で開示される構成は、矛盾が生じない限り、他の実施形態で開示される構成と組み合わせて適用することが可能であり、また、本明細書において開示された実施形態は例示であって、本発明の実施形態はこれに限定されず、本発明の目的を逸脱しない範囲内で適宜改変することが可能である。
【産業上の利用可能性】
【００６８】
以上説明したように、試験片を容易に観察することができ、しかも、試験における作業を簡略化することができ、さらには、試験に使用する薬液の量を少なくすることができる耐薬品性試験装置、薬液保持部材、及び、耐薬品性試験方法を提供することができる。
【符号の説明】
【００６９】
１      試験装置本体
２      試験片設置面（試験片設置部）
３      薬液保持部材
３ａ    スリット状貫通孔（表裏貫通孔）
４      試験片固定部材
４ａ    開口部
１００  耐薬品性試験装置
Ｐ      樹脂製試験片
【図１】
0006403637.tif 000002
【図２】
0006403637.tif 000003
【図３】
0006403637.tif 000004
【図４】
0006403637.tif 000005
【図５】
0006403637.tif 000006